(57)【要約】【課題】  遊技物を有する遊技盤を前枠に対して取り付け、取り外しを容易に行えるようにする。【解決手段】  遊技機ＰＭは、前面に遊技領域が設けられた遊技盤２０と、前面側で遊技盤を着脱可能に収容する収容部が設けられた枠部材と、を備え、遊技領域に遊技球を打ち出して遊技を行うように構成されており、遊技盤の下部に突設された下向き軸４２と、下向き軸を受け入れ可能かつ案内可能に収容部の内面下部に形成さられた下部溝４４と、を備えている。【選択図】      図１０
2005304622.tif 000002
【特許請求の範囲】
【請求項１】
前面に遊技領域が設けられた遊技盤と、
前面側で前記遊技盤を着脱可能に収容する収容部が設けられた枠部材と、を備え、
前記遊技領域に遊技球を打ち出して遊技を行うように構成された遊技機において、
前記遊技盤の下部に突設された下向き軸と、
前記下向き軸を受け入れ可能かつ案内可能に前記収容部の内面下部に形成された下部溝と、
を備えたことを特徴とする遊技機。
【請求項２】
前記遊技盤の上部に突設された上向き軸と、前記下向き軸を受け入れ可能かつ案内可能に前記収容部の内面上部に形成された上部溝と、を備えたことを特徴とする請求項１に記載の遊技機。
【請求項３】
前記枠部材の一端に枢着部によって開閉自在に設けられて前記遊技盤を覆うガラス扉を備え、
前記上向き軸及び前記下向き軸が、前記枢着部側に設けられていることを特徴とする請求項２に記載の遊技機。
【発明の詳細な説明】
【技術分野】
【０００１】
本発明は、パチンコ機等の遊技機に関し、特に、遊技部品を有する遊技盤を枠部材としての前枠に対して組み込み作業と取り外し作業を容易に行えるようにした遊技機に関する。
【背景技術】
【０００２】
従来、遊技機、例えばパチンコ機は、外枠と、風車、各種入賞具等の遊技部品を設けてある遊技盤を有して外枠に開閉可能に枢着された前枠と、遊技盤を覆うガラスを有して前枠に対して開閉可能なガラス扉、及びガラス扉の下部で前枠に対して開閉する球皿と、を備えている。そして、遊技盤は、前枠に対して着脱できるようになっている。着脱を可能にする機構として、施錠装置がある（特許文献１参照）。
【０００３】
この施錠装置は、組み立て作業者が遊技盤固定装置を持って、遊技盤の四隅に設けた固定具の軸部を前枠内面の四隅に設けた保持部の軸孔口部に挿入することによって、遊技盤が前枠に取り付けられるようになっている。
【０００４】
【特許文献１】特開２０００−２８８２１５号公報
【発明の開示】
【発明が解決しようとする課題】
【０００５】
しかし、従来の遊技機における遊技盤固定装置は、組み立て作業員が遊技盤を持って、固定具の軸部を保持部の軸孔口部に狙いを定めて挿入するため、軸部を軸孔口部に挿入するのが困難であり、遊技盤を前枠に組み込みにくい問題があった。
【０００６】
また、最近の遊技の多様化、複雑化にともなって、遊技盤が、各種遊技部品や制御基板等を多数有して、重量が重いため、従来の施錠装置では、組み立て作業員による組み込み作業が困難であるという問題があった。
【０００７】
さらに、遊技盤は、遊技部品を設けてある前面を手前側にして前枠に組み込まれるため、組み立て作業員が誤って遊技部品を持って、遊技部品を破損するという問題もあった。
【０００８】
本発明は、遊技部品を有する遊技盤を前枠に対して組み込み作業と取り外し作業を容易に行えるようにした遊技機を提供することを目的としている。
【課題を解決するための手段】
【０００９】
請求項１に係る発明は、前面に遊技領域（ＰＡ）が設けられた遊技盤（２０）と、前面側で前記遊技盤（２０）を着脱可能に収容する収容部（１０）が設けられた枠部材（２）と、を備え、前記遊技領域（ＰＡ）に遊技球を打ち出して遊技を行うように構成された遊技機（ＰＭ）において、前記遊技盤（２０）の下部に突設された下向き軸（４２）と、前記下向き軸（４２）を受け入れ可能かつ案内可能に前記収容部（１０）の内面下部に形成された下部溝（４４）と、を備えたことを特徴とする遊技機（ＰＭ）である。
【００１０】
請求項２に係る発明は、前記遊技盤（２０）の上部に突設された上向き軸（４１）と、前記下向き軸（４２）を受け入れ可能かつ案内可能に前記収容部（１０）の内面上部に形成された上部溝（４３）と、を備えたことを特徴とする請求項１に記載の遊技機（ＰＭ）である。
【００１１】
請求項３に係る発明は、前記枠部材（２）の一端に枢着部（７ａ、７ｂ）によって開閉自在に設けられて前記遊技盤（２０）を覆うガラス扉を備え、前記上向き軸（４１）及び前記下向き軸（４２）が、前記枢着部（７ａ、７ｂ）側に設けられていることを特徴とする請求項２に記載の遊技機（ＰＭ）である。
【００１２】
なお、上記カッコ内の符号は、図面と対照するためのものであるが、実施の形態との対応を容易にして、発明の理解を助ける便宜的なものであり、本願特許請求の範囲の記載に何ら影響を及ぼすものではない。
【発明の効果】
【００１３】
請求項１に係る発明は、下向き軸を下部溝に係合させて、遊技盤を枠部材に支持させた状態で枠部材に対して着脱できるようになっているので、遊技盤が多少重くても、枠部材に対する遊技盤の組み込み作業と取り外し作業とを速やかに、かつ容易に行うことができる。
【００１４】
請求項２に係る発明は、上向き軸を上部溝に係合させ、下向き軸を下部溝に係合させて、遊技盤の上下を枠部材に支持させた状態で枠部材に対して着脱できるようになっているので、遊技盤が多少重くても、枠部材に対する遊技盤の組み込み作業と取り外し作業とを速やかに、かつ容易に行うことができる。また、遊技盤の上部と下部がスライド固定されるので、下部だけをスライト固定するときよりも安定した遊技盤の組み込み作業と取り外し作業とを速やかに行うことができる。さらに、遊技盤が前後方向に倒れにくくなり、安定して遊技盤を組み込むことができる。
【００１５】
請求項３に係る発明は、上向き軸及び下向き軸を、枠部材に対する枢着部側に設けてあるので、ガラス扉を開いた状態でガラス扉がほとんど邪魔になることなく、遊技盤の組み込み、取り外しを容易に行うことができる。
【発明を実施するための最良の形態】
【００１６】
以下、本発明の好ましい実施形態について、好適な実施例を挙げて添付図面を参照しながら詳細に説明する。なお実施例では、前枠の正面奥部に遊技盤が収容保持された形態のパチンコ機に本発明を適用した場合を主として説明する。
【００１７】
図１は、本発明の実施形態の遊技機において、ガラス扉と球皿を開いて遊技盤を前枠から取り外したときの正面図である。図２は、図１に示す遊技盤の背面図である。図３は、遊技盤を前枠に組み込んでガラス扉と球皿を閉じたときのパチンコ機において、外枠と前枠を切断した図である。図４は、上向き軸と下向き軸を遊技盤の背面側から見た図である。図５は、上向き軸と下向き軸の図である。（ａ）は、上向き軸の平面図である。（ｂ）は、下向き軸の底面図である。図６は、上向き軸と下向き軸の他の実施形態の取り付け構造の図である。図７は、図３の状態からガラス扉５と球皿を開いた状態の上向き軸周辺の平面図である。図８は、前枠に組み込まれた遊技盤の上向き軸周辺の部分正面図である。図９は、前枠に組み込まれた遊技盤の下向き軸周辺の部分正面図である。図１０は、遊技盤を前枠に組み込むときの動作説明用の軸と溝の概略図である。
【００１８】
まず、パチンコ機ＰＭの概要構成を図１および図２を参照して要約説明する。パチンコ機ＰＭは、外郭方形枠サイズに構成されて縦向きの固定保持枠をなす外枠１と、外枠１の大きさに合わせて方形枠サイズに形成されて、外枠１の開口前面に開閉自在に搭載された枠部材としての前枠２等で構成されている。前枠１は、外枠１との互いの正面左側上下に配設されたヒンジ機構３ａ，３ｂによって横開き開閉および着脱が可能に外枠１に取り付けられて、正面右側に設けられたダブル錠と称される施錠装置４によって常には外枠１と係合された閉鎖状態で外枠１に保持されている。
【００１９】
前枠２の前面側には、前枠２の前面域に合わせた方形状の前面扉としてのガラス扉５および球皿６が、正面左側に設けられたヒンジ機構７ａ，７ｂ，７ｃで横開き開閉および着脱が可能に取り付けられて、正面右側に設けられた施錠装置４および球皿施錠装置を利用して前枠２の前面を覆う閉鎖状態に保持されている。球皿６の右側下部にはパチンコ球の発射操作を行う不図示の操作ハンドルが取り付けられている。前枠２の上部には方形枠状の収容部としての収容枠１０が前枠２と一体に成型されており、この収容枠１０に遊技盤固定装置ＦＳを利用して遊技盤２０が着脱可能に立設保持されている。
【００２０】
遊技盤２０は、所定板厚の積層合板の表面にセルを貼り付け、これを所定形状にルーター加工した化粧板（「ベニヤ」とも称される）２１を基板として構成されている。化粧板２１の前面側には、上下２分割のレール飾り２２，２３がビス止めされてその内側に略円形の遊技領域ＰＡが区画形成されている。この遊技領域ＰＡには、多数本の遊技釘とともに風車や各種入賞具２４、遊技の進行状況に応じて所定の図柄を表示する図柄表示装置２５などの遊技構成部品が取り付けられている。遊技領域ＰＡの下端部には入賞具２４に入賞せずに落下したパチンコ球を遊技盤２０の裏面側に排出させるアウト口２７が設けられている。
【００２１】
遊技盤２０の背面（図２参照）には、主制御基板３２、補助制御基板３１、パチンコ球の球処理通路３３等を設けてある。
【００２２】
球皿６の背後に位置する前枠２の下部領域には遊技補助盤と称される補助機構部が形成されている。この補助機構部の遊技補助盤の各部には、操作ハンドルの回動操作に基づいて遊技盤２０にパチンコ球を打ち出す遊技球発射装置２８や、遊技の展開状態に応じて効果音を発生させる音響装置２９などが設けられている。
【００２３】
前枠２の裏面側には、中央に前後連通する開口を有して前枠２よりもやや小型の方形枠状に形成された裏セット盤３０が着脱可能にセット保持されている。裏セット盤３０の各部には、詳細図示省略するが、パチンコ球を貯留する球貯留タンクや球貯留タンクから供給されたパチンコ球を整列させる整列通路、遊技盤２０における入賞状態等に基づいてパチンコ球を払い出す球払出装置、球払出装置から払い出されたパチンコ球を球皿６に導く球払出通路などの賞球機構が設けられるとともに、遊技盤２０の裏面側に排出されたパチンコ球を集合させて遊技施設の回収バケットに排出させる排出通路などが設けられている。また裏セット盤３０の裏面側には、電源基盤や各種回路基盤および電子部品等が取り付けられ、これらがワイヤーハーネスで接続されて遊技可能に構成される。
【００２４】
パチンコ機ＰＭは、前枠２、ガラス扉５および球皿６がともに閉止され施錠された状態で遊技に供され、球皿６にパチンコ球を貯留させて操作ハンドルを回動操作することにより遊技が開始される。操作ハンドルが回動操作されると、球皿６に貯留されたパチンコ球が１球ずつ遊技球発射装置に送り出され、遊技球発射装置のハンマにより遊技盤２０の遊技領域ＰＡに打ち出されて、以降パチンコゲームが展開される。
【００２５】
以上のように概要構成されるパチンコ機ＰＭにあって、遊技盤２０は前枠２の前方から収容枠１０に着脱可能に収容され、遊技盤固定装置ＦＳを利用して収容枠１０内の所定位置に固定保持される。
【００２６】
遊技盤２０を交換のとき、例えば、盤面替えと称される機種を変更するとき、遊技盤２０は、前面に上記の風車や各種入賞具を有して、前枠２内に組み込まれるようになっている。
【００２７】
本実施形態のパチンコ機ＰＭは、遊技盤２０が重くても、遊技盤２０をパチンコ機ＰＭの前枠２に容易に組み込むことができるようになっている。
【００２８】
すなわち、本パチンコ機ＰＭは、図１に示す遊技盤２０の背面側に設けられて遊技盤２０の上縁２０ａ及び下縁２０ｂから突出した上向き軸４１及び下向き軸４２と、上向き軸４１及び下向き軸４２を受け入れ可能かつ案内可能に前枠２の収容枠１０の内面上部２ａ及び内面下部２ｂに形成された上部溝４３（図１０参照）及び下部溝４４とを備えている。上部溝４３と下部溝４４は、上下に対向して互いに平行に形成されている。また、溝４３，４４の幅は、上向き軸４１及び下向き軸４２の太さより若干広く、かつ一定である。
【００２９】
図４、図５に示すように、遊技盤２０の背面の上端部には、上部取り付け基板４８を設けてある。上部取り付け基板４８の上下には、上部取り付け基板４８を切り起こして形成した１対の上下突片５０を設けてある。上下突片５０には、Ｌ字形状の上向き軸４１を上下動自在に設けてある。また、上部取り付け基板４８を切り起こして形成した切り起こし突片５３と上向き軸４１とには、上向き軸４１を遊技盤２０の上縁２０ａから上方に突出させる引っ張りばね４６を掛け渡してある。
【００３０】
上部取り付け基板４８は、遊技盤２０の背面２０ｃから前面２０ｄ側に切り欠かれた凹みである逃げ凹部２０ｅに設けられている。逃げ凹部２０ｅの背面２０ｃから前面２０ｄ側に向けての深さは、切り起こして形成した上下突片４７や、引っ張りばね４６等が背面２０ｃから突出しない程度の深さに設定してある。また、上部取り付け基板４８の上端４８ａは、遊技盤２０の上縁２０ａから上方に突出しないようになっている。さらに、上部取り付け基板４８の脇は、遊技盤２０の脇から側方に突出しないようになっている。これによって、上向き軸４１以外の上部取り付け基板４８等が遊技盤２０から突出しないように逃げ凹部２０ｅ内に収められて、遊技盤２０からの突起物を少なくし、遊技盤２０を前枠２に組み込みや、取り外しを容易に行えるようにしている。
【００３１】
図４、図５に示すように、遊技盤２０の背面２０ｃの下端部には、下部取り付け基板４９を設けてある。下部取り付け基板４０には、下向き軸４２を下向きに突設してある。下向き軸４２は下部取り付け基板４９の折り曲げ片５４に固定してある固定軸である。
【００３２】
下部取り付け基板４９も、遊技盤２０の背面２０ｃから前面２０ｄ側に切り欠かれた凹みである逃げ凹部２０ｆに設けられている。逃げ凹部２０ｆの背面２０ｃから前面２０ｄ側に向けての深さは、折り曲げ片５４が背面２０ｃから突出しない程度の深さに設定してある。また、下部取り付け基板４９の下端４９ａは、遊技盤２０の下縁２０ｂから下方に突出しないようになっている。さらに、下部取り付け基板４９の脇は、遊技盤２０の脇から側方に突出しないようになっている。これによって、下向き軸４２以外の下部取り付け基板４９等が遊技盤２０から突出しないように逃げ凹部２０ｆ内に収められて、遊技盤２０からの突起物を少なくし、遊技盤２０を前枠２に組み込みや、取り外しを容易に行えるようにしている。
【００３３】
なお、上向き軸４１と下向き軸４２は、図６に示すように、共通の取り付け基板４５を介して遊技盤２０の背面に設けてもよい。
【００３４】
取り付け基板４５は、遊技盤２０の背面に形成した逃げ凹部２０ｇに遊技盤２０の縦方向長さとほぼ同じ長さを有して縦長に設けてある。取り付け基板４５の上部に切り起こして形成された上下突片４７に上向き軸４１が上下動自在に設けてある。上向き軸４１は、取り付け基板４５と上向き軸４１とに掛け渡した引っ張りばね４６によって、常時上方に付勢されている。取り付け基板４５の下端には、下向き軸４２が下向きに突設してある。下向き軸４２は取り付け基板４５の折り曲げ片５５に固定してある固定軸である。
【００３５】
逃げ凹部２０ｇの背面２０ｃから前面２０ｄ側に向けての深さは、上下突片４７と折り曲げ片５５とが背面２０ｃから突出しない程度の深さに設定されている。また、取り付け基板４５の上下端は、遊技盤２０の上縁２０ａと下縁２０ｂから上下方向に突出しないようになっている。さらに、取り付け基板４５の脇は、遊技盤２０の脇から側方に突出しないようになっている。これによって、上向き軸４１と下向き軸４２と以外の取り付け基板４５全体が、遊技盤２０から突出しないようにして、遊技盤２０からの突起物を少なくし、遊技盤２０を前枠２に組み込みや、取り外しを容易に行えるようにしている。また、この構成の場合、上向き軸４１と下向き軸４２とを、一直線上に的確に位置決めされて配設することができる。
【００３６】
次に、遊技盤２０を前枠２に組み込む手順を説明する。先ず、図１０に示すように、遊技盤２０を背面２０ｃ側から持って、下向き軸４２を下部溝４４の前枠２の開閉端側（図１０において右側）に挿入して、前枠２に遊技盤２０を支持させる。下向き軸４２は、下部溝４４の長手方向に沿った方向から挿入することができるので、下部溝４４に容易に挿入することができる。
【００３７】
その後、上向き軸４１を、一旦、引っ張りばね４６に抗して下方に引っ張ってから、上部溝４４に挿入する。これによって、遊技盤２０は、上下端が前枠２に仮支持されたことになる。
【００３８】
このようにして、上向き軸４１及び下向き軸４２を、上部溝４３及び下部溝４４に挿入することによって、遊技盤２０は、前枠２に仮支持されたことになり、遊技盤２０が重くても、この後の組み込み作業が楽になる。また、遊技盤２０をこのように仮支持させるとき、遊技盤２０の背面２０ｃを手前側にして行うことができるので、作業員が誤って風車や各種入賞具を掴んで、風車や各種入賞具を傷つけたり壊したりするようなことがない。
【００３９】
さらに、作業員は、背面２０ｃを手前側にして、重量のある各種制御基板３１，３２等が多く配置された重量のある遊技盤を保持することが（持つことが）できるので、遊技盤２０を安定した状態で保持して、前枠２の収容枠１０に容易に、かつ簡単に、しかも安全に組み込むことができる。
【００４０】
なお、遊技盤２０（図２参照）の表面の対角の位置に、支持凹部３４（図２参照）を形成してもよい。支持凹部３４を形成するとすれば、指先を掛けやすい形状に形成するのが好ましい。この支持凹部３４を設けた場合、遊技盤２０が持ちやすくなるとともに、後側の遊技部品に触れることなく作業することができる。
【００４１】
その後、上向き軸４１及び下向き軸４２を、上部溝４３及び下部溝４４に案内させて、遊技盤２０をガラス扉５の前枠２に対する枢着部としてのヒンジ機構７ａ，７ｂ側に移動させる。移動の途中において、遊技盤２０の向きを裏向きから表向きに変える（前面２０ｄを手前側にする）。そして、遊技盤２０を収容枠１０の左側に移動させる。
【００４２】
収容枠１０の内側角１０ａ（図７参照）に対向する遊技盤２０の角は、切除されて逃げ部２０ｈになっている。このため、遊技盤２０は、収容枠１０に邪魔されることなく、所定の位置に収まるようになっている。
【００４３】
これによって、遊技盤２０は、上向き軸４１、下向き軸４２によって、前枠２に開閉自在に設けられたことになる。最後に、遊技盤２０は、後述する係止機構６１（図１参照）と、後述する押圧片６５とによって、前枠２の収容枠１０に確実に保持される。なお、遊技盤２０を係止機構６１と押圧片６５とによって前枠２に保持させるとき、後述する開放補助部材６４の弾性に抗して、遊技盤２０を収容枠１０に押し込む必要がある。
【００４４】
係止機構６１は、図１に示すように、遊技盤２０に形成した縦長の係止開口６２と、前枠２と一体の収容枠１０に回転自在に設けてある細長い回転レバ−６３とを有して、遊技盤２０の四隅（２つは図示省略）近くに設けてある。したがって、係止機構６１は、向きを縦にした回転レバ−６３に係止開口６２を挿入して、回転レバ−６３を横向きに回転させると、回転レバ−６３が、係止開口６２と交差して、遊技盤２０が前枠２から離脱しないように前枠２に保持することができる。
【００４５】
押圧片６５は、図３、図７乃至図９に示すように、保持枠１０の左側の上下に、保持枠１０とで遊技盤２０を受け入れるように設けてあり、弾性を備えている。すなわち、遊技盤２０が、保持枠１０に組み込まれるとき、押圧片６５の弾性に抗して保持枠１０と押圧片６５との間を押し広げるようにして、その間に、遊技盤２０が押し込まれるようになっている。したがって、遊技盤が上記間に押し込まれると、押圧片６５が、弾力によって、遊技盤２０を保持枠１０に押し付けて、遊技盤２０の浮き上がりを防止する。
【００４６】
開放補助部材６４は、平面視、概略クランク状に折り曲げられた弾性を有する板状の部材であり、遊技盤２０の背面を受け止めて遊技盤２０をガラス扉５側に常時付勢するようになっている。
【００４７】
前枠２からの遊技盤２０を取り外すには、先ず、係止機構６１による遊技盤保持を解除する。すると、遊技盤２０は、開放補助部材６４に弾性に押されて、上向き軸４１、下向き軸４２を中心にして該軸に対して反対側が手前に回動して、収容枠１０から僅かに浮き上がり、前枠２から取り外しやすくなる。その後、遊技盤２０は、前枠２の収容枠１０と押圧片６５との間から抜き取り、前枠２に組み込むときの手順とは逆の手順によって前枠２から取り外すことができる。
【００４８】
なお、上向き軸４１は、遊技盤２０に対して上下動自在になっているが、遊技盤２０に固定されていてもよい。この場合、遊技盤２０は、組み込み時に、前枠２に対して斜めにして上部溝４３下部溝４４に沿って移動させて、上向き軸４１を上部受け入れ孔４８に入れた後、下向き軸４２を下部受け入れ孔４９に挿入する必要がある。また、取り外し時には、下向き軸４２を下部受け入れ孔４９から抜いてから、上向き軸４１を上部受け入れ孔４８から抜き取って、遊技盤２０を前枠２から取り外す必要が生じるが、遊技盤２０に対して上下動自在にした場合とほぼ同様な作用効果を得ることができる。
【００４９】
さらに、上向き軸４１と、上部溝４３は、必ずしも必要としない。すなわち、下向き軸４２を下部溝４４に係合させて遊技盤２０を前枠２に支持させ、図２の左右方向に移動させて遊技盤２０を前枠２に組み込んだり、前枠２から取り外したりしてもよい。
【００５０】
なお、図１０に示すように、上部溝４３及び下部溝４４内に上部受け入れ孔５２及び下部受け入れ孔５１を設けても良い。この場合、上向き軸４１及び下向き軸４２を、上部溝４３及び下部溝４４に案内させた後、遊技盤２０をガラス扉５の前枠２に対する枢着部側すなわちヒンジ機構７ａ，７ｂ側に移動させる。移動の途中において、遊技盤２０の向きを裏向きから表向きに変える。そして、下向き軸４２を下部溝４４の端に形成してある下部受け入れ孔５１に落とし込む。このとき、上向き軸４１は、上部溝４３の端に形成してある上部受け入れ孔５２に対向して、引っ張りばね４６によって上方に引っ張られて上部受け入れ孔５２に嵌入される。
【００５１】
こうすることによって、下向き軸４２と下部受け入れ孔４９が係合し、上向き軸４１と上部受け入れ孔４８が係合し、この係合部を中心として、遊技盤２０が前枠２に対して回転可能な状態となり、遊技盤２０を取り外す脱着作業においては、遊技盤２０を閉止位置から容易に回転させて遊技盤２０を裏側にすることが可能となる。さらにこうすることによって、遊技盤２０が収容枠１０に収容保持されている状態において、遊技盤２０の移動を規制することができ、確実に遊技盤２０を収容枠１０に収容保持することが可能となる。
【図面の簡単な説明】
【００５２】
【図１】本発明の実施形態の遊技機において、ガラス扉と球皿を開いて遊技盤を前枠から取り外したときの正面図である。
【図２】図１に示す遊技盤の背面図である。
【図３】遊技盤を前枠に組み込んでガラス扉と球皿を閉じたときのパチンコ機において、前枠を切断した図である。
【図４】上向き軸と下向き軸を遊技盤の背面側から見た図である。
【図５】上向き軸と下向き軸の図である。（ａ）は、上向き軸の平面図である。（ｂ）は、下向き軸の底面図である。
【図６】他の実施形態の上向き軸と下向き軸の図である。
【図７】図３の状態からガラス扉と球皿を開いた状態の上向き軸周辺の平面図である。
【図８】前枠に組み込まれた遊技盤の上向き軸周辺の部分正面図である。
【図９】前枠に組み込まれた遊技盤の下向き軸周辺の部分正面図である。
【図１０】遊技盤を前枠に組み込むときの動作説明用の軸と溝の概略図である。
【符号の説明】
【００５３】
ＰＭ      パチンコ機（遊技機）
ＰＡ      遊技領域
１      外枠
２      前枠（枠部材）
２ａ    前枠の内面上部
２ｂ    前枠の内面下部
３ａ    ヒンジ機構
３ｂ    ヒンジ機構
５      ガラス扉
６      球皿
７ａ    ヒンジ機構（枢着部）
７ｂ    ヒンジ機構（枢着部）
７ｃ    ヒンジ機構
１０      収容枠（収容部）
２０      遊技盤
４１      上向き軸
４２      下向き軸
４３      上部溝
４４      下部溝
【図１】
2005304622.tif 000003
【図２】
2005304622.tif 000004
【図３】
2005304622.tif 000005
【図４】
2005304622.tif 000006
【図５】
2005304622.tif 000007
【図６】
2005304622.tif 000008
【図７】
2005304622.tif 000009
【図８】
2005304622.tif 000010
【図９】
2005304622.tif 000011
【図１０】
2005304622.tif 000012